(57)【特許請求の範囲】
【請求項１】
箱体の一部に開口した手乾燥室と、前記箱体に設けられて高圧空気を発生する高圧空気流発生装置と、前記手乾燥室に設けられて上記高圧空気流発生装置で発生した空気を前記手乾燥室に噴出させるノズルと、前記手乾燥室に設けられたセンサーと、前記センサーの出力により前記高圧空気流発生装置を制御する制御装置と、前記箱体の側部または正面部の一部に凹状に設けられ前記制御装置の運転を操作する電気部品が配置されている操作室と、前記操作室に設けられ前記電気部品への水浸入を防止する遮水部とを備え、前記遮水部は、前記操作室の上面の開口側が下方側に傾斜していることを特徴とする手乾燥装置。
【請求項２】
箱体の一部に開口した手乾燥室と、前記箱体に設けられて高圧空気を発生する高圧空気流発生装置と、前記手乾燥室に設けられて上記高圧空気流発生装置で発生した空気を前記手乾燥室に噴出させるノズルと、前記手乾燥室に設けられたセンサーと、前記センサーの出力により前記高圧空気流発生装置を制御する制御装置と、前記箱体の側部または正面部の一部に凹状に設けられ前記制御装置の運転を操作する電気部品が配置されている操作室と、前記操作室に設けられ前記電気部品への水浸入を防止する遮水部とを備え、前記遮水部は、前記操作室の上面の開口側付近に下方に突出した突起を有していることを特徴とする手乾燥装置。
【請求項３】
箱体の一部に開口した手乾燥室と、前記箱体に設けられて高圧空気を発生する高圧空気流発生装置と、前記手乾燥室に設けられて上記高圧空気流発生装置で発生した空気を前記手乾燥室に噴出させるノズルと、前記手乾燥室に設けられたセンサーと、前記センサーの出力により前記高圧空気流発生装置を制御する制御装置と、前記箱体の側部または正面部の一部に凹状に設けられ前記制御装置の運転を操作する電気部品が配置されている操作室と、前記操作室に設けられ前記電気部品への水浸入を防止する遮水部とを備え、前記操作室の下面の開口側が下方側に傾斜していることを特徴とする手乾燥装置。
【請求項４】
前記操作室の下面の開口側が下方側に傾斜していることを特徴とする請求項１〜請求項２のいずれかに記載の手乾燥装置。
【発明の詳細な説明】
【技術分野】
【０００１】
本発明は、洗浄後の濡れた手を乾燥させるための手乾燥装置に関するものである。
【背景技術】
【０００２】
従来の手乾燥装置としては、例えば公知例の特開２００２−３４８４６号公報に、電源ＳＷが濡れた手で触っても感電事故を防ぐため防水カバーで覆われフロントケースの側部の凹みに設けられている構造が開示されている。
【０００３】
【特許文献１】特開２００２−３４８４６号公報（頁３の段落「００２０」、図２）
【発明の概要】
【発明が解決しようとする課題】
【０００４】
洗面器で手を洗ったあと手乾燥装置を使用する場合、洗面器から手乾燥装置まで移動する間に濡れた手から水滴が滴下するため、手乾燥装置の本体外殻にも滴下してしまう。従来の手乾燥装置では、手乾燥装置の外殻に滴下した水滴がフロントケースの側部を伝わり凹みにまで達しても防水カバーで電源ＳＷへの水浸入を防止する構造が設けられているが、メンテナンス要領で使用を禁止している洗剤などが使われてしまいその影響で劣化して防水カバーに穴が開いてしまったり、公共施設の不特定多数の人が自由に使用し管理が十分でない使用環境ではいたずらによって防水カバー取り外されてしまったりする可能性があるため、十分に防水性が確保されない可能性があるという問題があった。また、部品の寸法公差や組立ばらつき等によって防水カバーと防水カバー設置部品の間にすきまが生じないように管理を徹底する必要があった。
【０００５】
本発明は上述のような課題を解決するためになされたもので、濡れた手から滴下した水滴など、水の電気部品への侵入防止性を向上させた手乾燥装置を得るものである。
【課題を解決するための手段】
【０００６】
この発明に係る手乾燥装置においては、箱体の一部に開口した手乾燥室と、箱体に設けられて高圧空気を発生する高圧空気流発生装置と、手乾燥室に設けられて高圧空気流発生装置で発生した空気を手乾燥室に噴出させるノズルと、手乾燥室に設けられたセンサーと、センサーの出力により高圧空気流発生装置を制御する制御装置と、箱体の側部または正面部の一部に凹状に設けられ制御装置の運転を操作する電気部品が配置されている操作室と、操作室に設けられ電気部品への水浸入を防止する遮水部とを備えたものである。
【発明の効果】
【０００７】
濡れた手から滴下した水滴など、水の電気部品への侵入防止性を向上させた手乾燥装置を得ることができる。
【図面の簡単な説明】
【０００８】
【図１】この発明の実施の形態１を示す手乾燥装置の右側面断面図である。
【図２】この発明の実施の形態１を示す手乾燥装置の概観を示す斜視図である。
【図３】この発明の実施の形態１を示す手乾燥装置の左側面図である。
【図４】この発明の実施の形態１を示す手乾燥装置の操作カバー（後述）を開いた状態の左側面図である。
【図５】この発明の実施の形態１の図４におけるＡ−Ａ部分断面図である。
【図６】この発明の実施の形態１における別の形状のＡ−Ａ部分断面図である。
【図７】この発明の実施の形態１における別の形状のＡ−Ａ部分断面図である。
【発明を実施するための形態】
【０００９】
実施の形態１．
図１は、この発明を実施するための実施の形態１における手乾燥装置の右側面断面図で、図２は手乾燥装置の概観を示す斜視図ある。図１において、箱体１は手乾燥装置の外郭をなし、箱体１の上部１ａには上開口部２０ａが設けられ、上開口部２０ａに繋がって箱体１の側部１ｂには側開口部２０ｂが設けられている。箱体１には上開口部２０ａおよび側開口部２０ｂに連通し、使用者が手を自在に挿抜でき、側面から見たとき下部方向に背面方向に傾斜を有してほぼＵ字状の手乾燥室２が設けられている。また手乾燥室２の下方の箱体１の内部には、羽根とモーターで構成された高圧空気流発生装置３が設けられている。また、手乾燥室２の底部には手乾燥室２内の水を排水する排水口４が設けられ、排水口４には排水路５の一端が取り付けられ、排水路５の他端（図示せず）の下部には排水路５を通って排水された水を溜めるタンク６が着脱自在に箱体１に取り付けられている。
【００１０】
手乾燥室２には、正面側の内壁を構成する正面側壁面２ａと、正面側壁面２ａに対向し背面側の内壁を構成する背面側壁面２ｂがあり、表面にはシリコン系もしくはフッ素系等の撥水性コ−ティングまたは酸化チタン等の親水性があるコ−ティングがなされている。また正面側壁面２ａおよび背面側壁面２ｂは抗菌剤を含浸させた樹脂でできている。そのため手乾燥室２の内壁表面の汚れ付着を低減させるとともに菌の繁殖を低減させることができる。正面側壁面２ａの上開口部２０ａの近傍および、背面側壁面２ｂの上開口部２０ａの近傍には、それぞれ正面側ノズル７ａと背面側ノズル７ｂが、左右方向に直線状に設けられており、高速空気を手乾燥室２の奥側に向かって傾斜して噴出し、手乾燥室２に挿入された手の甲側と掌側に同時に高速空気の風を当て、手に付着した水滴を吹き飛ばして排除することができる。
【００１１】
また、正面側壁面２ａで正面側ノズル７ａよりも更に上開口部２０ａ側の位置には手の有無を検知する上側手検知センサー（発光側）８ａが設けられ、正面側壁面２ａで手乾燥室２の奥側には手の有無を検知する奥側手検知センサー（発光側）８ｂが設けられ、背面側壁面２ｂには背面側ノズル７ｂより奥の位置に手検知センサー（受光側）８ｃが設けられている。上側手検知センサー（発光側）８ａと手検知センサー（受光側）８ｃおよび、奥側手検知センサー（発光側）８ｂと手検知センサー（受光側）８ｃが一対で機能する透過式センサーで構成され、上側手検知センサー（発光側）８ａや奥側手検知センサー（発光側）８ｂで発光された赤外線が挿入された手で遮られることで手の有無を検知するセンサーとして機能する。
【００１２】
高圧空気流発生装置３の排気側は、箱体１の内部に設けられた排気チャンバー１４内に設けられ、排気チャンバー１４には、排気チャンバー１４内の空気を排出する排気口１４ａが設けられて、排気口１４ａには正面側と背面側に分かれてそれぞれ正面側排気ダクト１５ａおよび背面側排気ダクト１５ｂが接続され、正面側排気ダクト１５ａは正面側ノズル７ａに連通し、背面側排気ダクト１５ｂは背面側ノズル７ｂを連通している。また、高圧空気流発生装置３の吸気側は吸気ダクト９の一端に接続され、給気ダクト９の内壁には高圧空気流発生装置３からの騒音を低減させるために吸音材１０が貼り付けられている。吸気ダクト９の他端は箱体１の底部に下方に開口した給気口１１に接続され、給気口１１の入口部には空気中の埃を除去するエアフィルター１２が着脱可能に設けられている。箱体１の内部には制御装置１６が設けられ、手検知センサー（受光側）８ｃの手検知に応じて高圧空気流発生装置３の動作を制御している。
【００１３】
次に動作について説明する。使用者が手乾燥装置の正面側に立ち、腕を下方に伸ばした状態で手乾燥装置の左右の側開口部２０ｂから手乾燥室２の中へそれぞれの濡れた手を入れ、手乾燥室２の中で両手を近づけるように中央に寄せると、両腕が上開口部２０ａから挿入された状態になり、このとき手首付近まで手乾燥室２に挿入されて手乾燥室２に設けた上部手検知センサー（発光側）８ａと手検知センサー（受光側）８ｃの対および奥側手検知センサー（発光側）８ｂと手検知センサー（受光側）８ｃの対が手を検知すると、制御装置１６により高圧空気流発生装置３が作動しエアフィルター１２を通って埃が除去された空気を吸気口１１から吸い込み、吸気ダクト９を通って高圧空気流発生装置３の吸込側に吸い込まれる。吸い込んだ空気は高圧空気流発生装置３で高圧空気にされる。
【００１４】
高圧空気流発生装置３で高圧化された高圧空気は高圧空気流発生装置３の排気側から排気チャンバー１４内に排気され、排気口１４ａから正面側排気ダクト１５ａおよび背面側ダクト１５ｂを通り、それぞれ正面側ノズル７ａおよび背面側ノズル７ｂで高圧空気から高速空気に変換され手乾燥室２内に噴出される。上開口部２０ａの近傍に左右方向に直線状に正面側ノズル７ａおよび背面側ノズル７ｂが設けられているので、上開口部２０ａ近傍にはエアーカーテン状に高速空気が噴出されることになり、そのエアーカーテン状の高速空気は手乾燥室２内に挿入されている手の甲および掌の両面に当たり、手の表面に付着していた水を水滴として吹飛ばす。そして、挿入されている手を上開口部２０ａから手乾燥室２の外に引き抜くことで、エアーカーテン状の高速空気が、挿入されている手の手首付近から指先に向かって水滴を吹き飛ばしながら移動し、手全体に付着していた水滴が除去され手を乾燥させることができる。手乾燥室２から手を抜くと、上側手検知センサー（発光側）８ａと手検知センサー（受光側）８ｃの対が手の無いことを検知し、高圧空気流発生装置３が停止する。手乾燥室２に挿入された濡れた手から吹き飛ばされ剥離した水滴は手乾燥室２に飛ばされ、正面側壁面２ａおよび背面側壁面２ｂに当たって流下し、手乾燥室２の底部に設けられた排水口４から排水路５を通ってタンク６に回収される。
【００１５】
図３はこの発明を実施するための実施の形態１における手乾燥装置の左側面図である。図３において、箱体１の左側の側部１ｂで手乾燥室２の底面よりも下側に位置には開閉可能な操作カバー４２が設けられている。図４はこの発明を実施するための実施の形態１における手乾燥装置の操作カバー４２を開いた状態を示す左側面図である。図５は、図４の中のＡ−Ａ部分断面図である。操作カバー４２の奥には、箱体１の側部１ｂに窪ませて設けた凹状の操作室４１が設けられている。操作室４１の凹状を構成する上面５１には、遮水部として開口側が下方に向かって傾斜した傾斜部５１ａが設けられ、その傾斜角度は水平を基準として下側へ概ね３°〜３０°の範囲である。また、操作室４１の凹状を形成する下面５３は、開口側が下方へ傾斜し、その傾斜角度は水平を基準として下側へ概ね３°〜３０°の範囲である。
【００１６】
操作室４１には、電機部品として手乾燥装置の電源を入り切りする電源スイッチ４３と電源ＳＷ４３へ水浸入を防止するゴムでできた保護カバー４６、および風量スイッチ４４およびヒータースイッチ４５が配置されている。尚、風量スイッチ４４およびヒータースイッチ４５はスイッチ自体が防水構造になっている。電源スイッチ４３は制御装置１６への電源供給と遮断を行うスイッチである。風量スイッチ４４は制御装置１６に接続され高圧空気流発生装置３の風量の強弱を切り替えるスイッチであり、ヒータースイッチ４５も制御装置１６に接続され、制御装置１６に接続され正面側ノズル７ａや背面側ノズル７ｂから噴出する空気に熱を与えて温風化する内蔵ヒーター（図示せす）の入り切りするスイッチである。
【００１７】
以上の構成の手乾燥装置によれば、洗面器から手乾燥装置まで移動する間に濡れた手から手乾燥装置の本体外郭に滴下し本体外郭を伝わり操作カバー４２との隙間から操作室４１の開口付近に到達しても、操作室４１の上面５１には開口側が下方に傾斜している傾斜部５１ａが設けられているので、水滴は操作室４１の中に侵入することがない。従って、操作部４１の奥に配置されている電気部品である電源スイッチ４３、風量スイッチ４４、ヒータースイッチ４５へ水が到達することがないので、各スイッチの防水機能と合わせて２重の防水構造が得られ、万が一スイッチ側の防水機能に不具合が生じても問題のない防水性の高い手乾燥装置を得ることができる。
また、万が一水が操作室に浸入しても、操作室４１の下面５３が傾斜しているので下面５３に水が溜まることなく操作室の外に排水されるため、電源スイッチ４３に水が浸水する恐れがなく、より防水性の高い手乾燥装置を得ることができる。
【００１８】
尚、風量スイッチ４４は強から弱まで数段階の風量調整ができる風量調整ボリューム型のスイッチの代わりに、強または弱に切り替えるシーソー型のスイッチでもよく、電源スイッチ４３や風量スイッチ４４やヒータースイッチ４５はどれか一つまたは複数無くても構わない。さらに操作室４１は本体１の側部１ｂの上方にあっても、本体１の正面部１ｃにあってもよく、本体１の外郭の略鉛直面にあれば同様の効果が得られる。
【００１９】
尚、図示はしないが上面５１が傾斜しなくても、遮水部として上面５１の形状が奥側より開口側が下方へ低いような段差形状であっても同様の効果が得られる。また、図６は、この発明を実施するための実施の形態１における手乾燥装置の別の形状のＡ−Ａ部分断面図で、遮水部として操作室４１の上面５１の開口側に下方に概ね３〜１０ｍｍ突出した突起５２を設けても同様の効果が得られる。
【００２０】
また、図示はしないが電源スイッチ４３は商用電源ＡＣ１００Ｖ〜２４０Ｖを入り切りするため、水が付着しない構造が特に必要である。そのため電源スイッチ４３はＤＣ１５Ｖ以下の信号で作動する風量スイッチ４４やヒータースイッチ４５よりも更に安全性が必要とされ、電源スイッチ４３が風量スイッチ４４やヒータースイッチ４５よりもさらに中心側へ奥まって配置されていれば、より一層電源スイッチ４３に水が付着しにくい構造となる。
【００２１】
さらに、図７はこの発明を実施するための実施の形態１における手乾燥装置の別の形状のＡ−Ａ部分断面図で（風量スイッチ４４およびヒータースイッチ４５は省略してある）、電源スイッチ４３は操作室４１の奥側の面ではなく上面５１に配置されれば保護カバー４６に穴が開いてもより一層電源スイッチ４３に水が付着しにくくすることができる。
【符号の説明】
【００２２】
１  箱体
１ａ  上部
１ｂ  側部
１ｃ  正面部
２  手乾燥室
２ａ  正面側内壁面
２ｂ  背面側内壁面
３  高圧空気流発生装置
４  排水口
５  排水路
６  タンク
７ａ  正面側ノズル
７ｂ  背面側ノズル
８ａ  上側手検知センサー（発光側）
８ｂ  奥側手検知センサー（発光側）
８ｃ  手検知センサー（受光側）
９  吸気ダクト
１１  吸気口
１２  エアフィルター
１４  排気チャンバー
１４ａ  排気口
１５ａ  正面側排気ダクト
１５ｂ  背面側排気ダクト
１６  制御装置
２０ａ  上開口部
２０ｂ  側開口部
４１  操作室
４２  操作カバー
４３  電源スイッチ（電気部品）
４４  風量スイッチ（電気部品）
４５  ヒータースイッチ（電気部品）
４６  保護カバー
５１  上面
５１ａ  傾斜部（遮水部）
５２  突起（遮水部）
５３  下面
【図１】
0005585287.tif 000002
【図２】
0005585287.tif 000003
【図３】
0005585287.tif 000004
【図４】
0005585287.tif 000005
【図５】
0005585287.tif 000006
【図６】
0005585287.tif 000007
【図７】
0005585287.tif 000008